(57)【要約】【課題】  放送番組の視聴履歴から、視聴頻度を使わないで、番組の嗜好度順位付けを行い、視聴者の好みの番組を高精度に抽出する番組検索装置の提供【解決手段】  放送番組を番組分類し、視聴者の番組分類嗜好順位表にしたがって、視聴者の好みの番組を検索する番組検索装置において、各時刻における視聴番組の番組情報、および前記視聴番組と同一時刻に他局が放送している複数の番組の番組情報を抽出する番組情報抽出部１３と、前記番組情報に基づいて、それぞれの番組を番組分類する番組分類部１４と、前記各時刻における前記視聴番組の番組分類を、前記同一時刻の他局番組の番組分類より高い嗜好順位に位置付け、嗜好順位の履歴情報１６として蓄積する番組分類嗜好度付与部１５と、各時刻における前記履歴情報１６に基づいて、番組分類嗜好順位を決定し、前記番組分類嗜好順位表１９を作成する番組分類嗜好順位統合部１７を備える。【選択図】      図２
2006203618.tif 000002
【特許請求の範囲】
【請求項１】
送信されてくる複数の放送番組を、番組情報に基づいて所定の区分により番組分類し、あらかじめ記憶部に記憶されている視聴者の番組分類嗜好順位表にしたがって、前記放送番組の中から前記視聴者の好みの番組を検索する番組検索装置において、
各時刻における前記視聴者が視聴している所定局の視聴番組の番組情報、および前記視聴番組と同一時刻に前記所定局以外の他局が放送している複数の番組の番組情報を抽出する番組情報抽出部と、
前記視聴番組および前記複数の番組の番組情報に基づいて、前記視聴番組および前記複数の番組をそれぞれ番組分類する番組分類部と、
前記各時刻における前記視聴者が視聴している前記所定局の視聴番組の番組分類を、前記同一時刻に他局が放送している番組の番組分類より高い嗜好順位に位置付けを行い、前記各時刻における嗜好順位の履歴情報として蓄積する番組分類嗜好度付与部と、
前記各時刻における前記嗜好順位の履歴情報に基づいて、番組分類嗜好順位を決定して、前記番組分類嗜好順位表を作成する番組分類嗜好順位統合部と、
を備えることを特徴とする番組検索装置。
【請求項２】
送信されてくる複数の放送番組を、番組情報に基づいて所定の区分により番組分類し、あらかじめ記憶部に記憶されている視聴者の番組分類嗜好順位表にしたがって、前記放送番組の中から前記視聴者の好みの番組を検索する番組検索方法において、
各時刻における前記視聴者が視聴している所定局の視聴番組の番組情報、および前記視聴番組と同一時刻に前記所定局以外の他局が放送している複数の番組の番組情報を抽出し、
前記視聴番組および前記複数の番組の番組情報に基づいて、前記視聴番組および前記複数の番組をそれぞれ番組分類し、
前記各時刻における前記視聴者が視聴している前記所定局の視聴番組の番組分類を、前記同一時刻に他局が放送している番組の番組分類より高い嗜好順位に位置付けを行い、前記各時刻における嗜好順位の履歴情報として蓄積し、
前記各時刻における前記嗜好順位の履歴情報に基づいて、番組分類嗜好順位を決定して、前記番組分類嗜好順位表を作成することを特徴とする番組検索方法。
【発明の詳細な説明】
【技術分野】
【０００１】
本発明は、テレビジョン放送での番組の視聴、また録画において、視聴履歴から視聴者の好みの番組を自動的に抽出する番組検索装置および番組検索方法に関し、特に視聴者の嗜好度による番組の順位付け技術に関するものである。
【背景技術】
【０００２】
デジタル放送では、放送番組とともにＥＰＧ（Ｅｌｅｃｔｒｏｎｉｃ  Ｐｒｏｇｒａｍ  Ｇｕｉｄｅ）により、ジャンル、タイトル、解説記事などの番組情報を含む番組表が送られている。番組検索装置は、これら番組情報を使って、何らかの番組分類に基づいて、視聴者の視聴履歴から、前記番組分類を視聴者の好みの順番に従って順位付けして記憶する。そして、視聴者の要求があると、放送時の番組表から対象となる時間の放送番組をリストアップして、分類し、前記番組分類の順位に基づいて、前記リストアップされた番組から好みの番組を検索して、前記検索した番組を、視聴・録画候補として推薦表示する、または自動録画するものである。
【０００３】
従来からの番組検索装置として、週単位の番組編成を利用して「曜日、時間帯、チャンネル」を番組分類として、視聴者の選局頻度の高い番組を優先的に抽出して記録する自動録画装置が知られている（例えば、特許文献１参照。）。
また別の従来例として、ＥＰＧの番組情報に含まれる文章中のキーワードにより、「キーワードを含む番組」を番組分類として、番組情報の文章中に現れるキーワードの登場頻度の高い番組が優先的に抽出され、録画または選局される方法が知られている（例えば、特許文献２参照。）。
【０００４】
これら番組検索装置では、視聴者の視聴履歴から好みの番組を自動的に抽出する番組の順位付け方法は、いずれも視聴頻度の高い番組を優先的に抽出するものであった。
【特許文献１】特開２００２−１９９２９３号公報（第３−５頁、第３図）
【特許文献２】特開平７−１３５６２１号公報（第２−３頁、第１図）
【発明の開示】
【発明が解決しようとする課題】
【０００５】
しかしながら、一般的なテレビジョン番組の見方は、ながら見が多く、しかも何気なく同じ番組を見ているもので、意識してその番組を見ようと思って見ている番組は意外と少ないものである。従来の方法では、このような番組も視聴頻度が高くなるため、放送頻度の高い番組分類の好みの程度が高くなってしまう。すなわち、頻度による判定では、視聴者の嗜好度を正確には判定できないという問題があった。
【０００６】
そこで、本発明は、上記のような問題点を解消するためになされたもので、たまにしかやらない本当に興味のある番組からも、視聴者の好みの番組分類が抽出できる番組検索装置および番組検索方法を提供することを目的とする。
【課題を解決するための手段】
【０００７】
本願発明における第１の発明は、送信されてくる複数の放送番組を、番組情報に基づいて所定の区分により番組分類し、あらかじめ記憶部に記憶されている視聴者の番組分類嗜好順位表（番組分類嗜好順位表１９）にしたがって、前記放送番組の中から前記視聴者の好みの番組を検索する番組検索装置において、各時刻における前記視聴者が視聴している所定局の視聴番組の番組情報、および前記視聴番組と同一時刻に前記所定局以外の他局が放送している複数の番組の番組情報を抽出する番組情報抽出部（番組情報抽出部１３）と、前記視聴番組および前記複数の番組の番組情報に基づいて、前記視聴番組および前記複数の番組をそれぞれ番組分類する番組分類部（番組分類部１４）と、前記各時刻における前記視聴者が視聴している前記所定局の視聴番組の番組分類を、前記同一時刻に他局が放送している番組の番組分類より高い嗜好順位に位置付けを行い、前記各時刻における嗜好順位の履歴情報（番組分類順位履歴表１６）として蓄積する番組分類嗜好度付与部（番組分類順位付与部１５）と、前記各時刻における前記嗜好順位の履歴情報に基づいて、番組分類嗜好順位を決定して、前記番組分類嗜好順位表を作成する番組分類嗜好順位統合部（番組分類順位統合部１７）と、を備えることを特徴とする番組検索装置を提供する。
また第２の発明は、送信されてくる複数の放送番組を、番組情報に基づいて所定の区分により番組分類し、あらかじめ記憶部に記憶されている視聴者の番組分類嗜好順位表（番組分類嗜好順位表１９）にしたがって、前記放送番組の中から前記視聴者の好みの番組を検索する番組検索方法において、各時刻における前記視聴者が視聴している所定局の視聴番組の番組情報、および前記視聴番組と同一時刻に前記所定局以外の他局が放送している複数の番組の番組情報を抽出（ステップＳ１、Ｓ２）し、前記視聴番組および前記複数の番組の番組情報に基づいて、前記視聴番組および前記複数の番組をそれぞれ番組分類（ステップＳ３、Ｓ４）し、前記各時刻における前記視聴者が視聴している前記所定局の視聴番組の番組分類を、前記同一時刻に他局が放送している番組の番組分類より高い嗜好順位に位置付けを行い、前記各時刻における嗜好順位の履歴情報として蓄積（ステップＳ６）し、前記各時刻における前記嗜好順位の履歴情報に基づいて、番組分類嗜好順位を決定（ステップＳ１１〜Ｓ１５）して、前記番組分類嗜好順位表を作成することを特徴とする番組検索方法を提供する。
【発明の効果】
【０００８】
本願発明によれば、各時刻における前記視聴者が視聴している所定局の視聴番組の番組情報、および前記視聴番組と同一時刻に前記所定局以外の他局が放送している複数の番組の番組情報を抽出する番組情報抽出部と、前記視聴番組および前記複数の番組の番組情報に基づいて、前記視聴番組および前記複数の番組をそれぞれ番組分類する番組分類部と、前記各時刻における前記視聴者が視聴している前記所定局の視聴番組の番組分類を、前記同一時刻に他局が放送している番組の番組分類より高い嗜好順位に位置付けを行い、前記各時刻における嗜好順位の履歴情報として蓄積する番組分類嗜好度付与部と、各時刻における前記嗜好順位の履歴情報に基づいて、番組分類嗜好順位を決定して、前記番組分類嗜好順位表を作成する番組分類嗜好順位統合部とを備えているので、めったにやらないような番組の番組分類も順位が低くなるようなことがなく、放送頻度に影響されないで、視聴者の嗜好に合った精度の高い嗜好度順位付けが可能となる。
【発明を実施するための最良の形態】
【０００９】
以下、本発明の実施形態に係る番組検索装置について図１〜図７を用いて説明する。
図１は、本発明の番組検索装置を有するデジタル放送受信システムの構成を示す図である。図２は、本発明の番組検索装置の構成を示す図である。図３は、週単位の放送番組の編成例を示し、（Ａ）は、定常時の番組表、（Ｂ）は、その日だけの特別な番組表である。図４は、本発明の番組検索装置で使われる番組分類例を示す図である。図５は、視聴時の番組分類順位付与過程の説明図で、（Ａ）は、視聴時の番組表、（Ｂ）は、順位付与例を示す。図６は、番組分類の順位統合過程の説明図で、（Ａ）は、蓄積された番組分類順位履歴データ、（Ｂ）は、順位統合例を示す。図７は、本発明の番組検索装置の動作を示すフローチャートで、（Ａ）は、視聴時の番組分類の順位付与、（Ｂ）は、番組分類の順位統合、（Ｃ）は、番組検索提示時の動作を示す。
【実施例１】
【００１０】
本発明は、視聴履歴から視聴者の好みの番組を自動的に抽出する番組検索装置の順位付け技術に関するものである。最初に、本発明の嗜好番組順位付け方法の考え方を述べる。
一般的にテレビジョン放送を見る場合、任意の時間に任意の番組が見られるわけではなく、常にある時刻において放送されている番組の中から一番見たい番組を選択することにより見る番組を決めている。例えばある時刻において図３（Ａ）のような番組が放送されている場合、その３種類の番組のどれかしか見られない。また、その選択の仕方は相対的な比較により行われることが多く、図３（Ａ）の組み合わせにおいてはバラエティを見たとしても、別な時に図３（Ｂ）のような番組が放送された場合、いつも見ていたバラエティを見ずに野球を見ることはよくあることである。
本発明は、同じ時間帯に放送されている番組の中で、見た番組は見なかった番組より嗜好度が高いとして、視聴者の好みを判断するもので、一般的に行われる視聴頻度による嗜好度の抽出とは異なり、放送を視聴する時の前記独特の特性を利用することにより、視聴者の好みに合った番組を抽出するものである。以下、本発明の順位付け技術による番組検索装置を使ったデジタル放送受信システムの実施例について説明する。
【００１１】
本発明の番組検索装置を有するデジタル放送受信システムは、図１に示すように、デジタル放送受信機８によりデジタル放送を受信して、モニタ９により番組を表示して視聴するとともに、前記番組検索装置により視聴履歴から視聴者の好みの番組を抽出し、視聴者の要求により視聴者の嗜好に合った番組を推薦表示するもので、以下具体的に述べる。
前記デジタル放送受信機は、チューナ２、ＴＳデコーダ３、ＡＶデコーダ４、番組検索部５、表示制御部６、およびシステムコントロール部７より構成されている。
チューナ２は、視聴者の指定するチャンネルの電波を復調してトランスポートストリーム（ＴＳ）データとして出力する。ＴＳデコーダ３は、入力したＴＳデータをデコードして必要なデータを、ＡＶデコーダ４、番組検索部５に出力する。ＡＶデコーダ４では、入力したＭＰＥＧによるＡＶデータを、音声信号、映像信号にデコードして、表示制御部６を介して、モニタ８に出力表示する。番組検索部５は、視聴者の視聴履歴から好みの番組を抽出して、表示制御部６を介して、モニタ８上に視聴推薦番組を表示する。
【００１２】
本発明における番組検索装置は、図２に示すように、操作入力部１１、入力選択部１２、番組情報抽出部１３、番組分類部１４、番組分類順位付け部１８、番組分類嗜好順位表１９、嗜好番組検索部２０、および全体システムを制御するシステムコントロール部２１から構成されている。以下、番組検索装置について説明する。
【００１３】
操作入力部１１は、リモコンなどの視聴者操作部を表す。そして、履歴収集モードが設定されていて、視聴者が一定時間以上番組を視聴すると、番組分類順位付与動作に入り、視聴履歴を収集する。また視聴者が好みの番組を検索するよう要求すると、番組検索提示動作に入り、放送番組から好みの番組が検索されて表示される。
【００１４】
入力選択部１２は、視聴履歴収集時には、視聴番組および視聴番組と同一時間帯に放送されている他局の全ての番組の番組表を入力して、番組情報抽出部１３に出力する。ただし、同一時間帯とは、視聴番組の視聴開始から視聴終了までの期間と一部分でも重なっている部分があれば、それも含む。また番組検索時には、対象となる時間帯の全番組の番組表を入力、リストアップして記憶する。
【００１５】
番組情報抽出部１３は、視聴履歴収集時には、その視聴番組の番組情報および視聴番組と同一時間帯に放送されている他局の全ての番組の番組情報を抽出する。また、番組検索時には、前記リストアップされた全ての番組の番組情報を抽出して記憶する。
本実施例では、番組情報とは、日付、チャンネル、時間帯など番組を特定する情報と、番組を分類する情報として、後述するようにジャンル、サブジャンル情報を指すものとする。
【００１６】
番組分類部１４は、前記番組情報より番組を分類する。
本実施例では、個々の番組は、あるジャンル（大分類）に属する小分類であるサブジャンル（番組分類）として分類される。図４に番組分類の例を示す。
【００１７】
次に、本発明の特徴である番組分類順位付け方法について説明する。番組分類順位付け部１８は、ジャンルごとのサブジャンルに、視聴者の好みに従って順位をつける部位で、図１破線部に示すように、番組分類順位履歴表１６、番組分類順位付与部１５、番組分類順位統合部１７から構成され、視聴履歴から視聴者の好みの順位をつけ、ジャンルごとに、サブジャンルが嗜好順位に従って並べられた番組分類嗜好順位表１９を作成する。
【００１８】
番組分類順位付与部１５では、視聴番組は、同一時間帯に放送されている他局の番組より嗜好度が高いことを利用して、視聴番組の属する分類は、同一時間帯に放送されている他局の番組の分類より嗜好順位が高いという２番組間の嗜好順位をつけて、番組分類順位履歴表１６に記憶する。ただし番組分類の順位付けは、同一ジャンルのサブジャンルに対してだけ行うものとする。これにより、同一ジャンルという類似した番組間で順位をつけることとなり、データの信頼性が上がるとともに、同一ジャンル内のサブジャンルに対して行うので、後述順位統合の作業が簡単化できる。
【００１９】
番組分類順位統合部１７は、異なる時間帯に得られた複数の２番組間の番組分類順位履歴表を入力して、２番組間の番組間嗜好度の大小関係を統合して、全ての番組分類に対する１系列の嗜好度による順序付けを行い、番組分類嗜好順位表１９を出力する。この番組分類嗜好度順位表への統合方法は後述する。
【００２０】
嗜好番組検索部２０は、番組検索時に、番組分類順位付け部１８により得られた前記番組分類嗜好順位表１９の番組分類の順位に合わせて、対象となる時間帯の前記リストアップされた放送番組を並べなおし、上位の番組から好みの番組として提示する。
次に、以上述べた番組検索装置の動作について、図７に示すフローチャートにより、具体的に説明する。
【００２１】
最初に、視聴時の番組分類順位付与、履歴収集動作について、図７（Ａ）に示すフローチャートにより説明する。
視聴者が、一定時間以上番組を視聴すると、番組分類順位付与ルーチンに入り、視聴番組およびその視聴番組と同一時間帯の全放送番組の番組表を入力して記憶する（ステップＳ１）。例えば、図５（Ａ）に示すように、番組１〜番組６が放送されていて、視聴者は、番組１のサッカーをみているものとすると、番組１およびその番組と同一時間帯に放送されていた番組として、番組２、番組３、番組４、番組５、番組６の番組表を入力記憶する。
そして、それらの番組表から全ての番組情報を抽出、一時記憶する（ステップＳ２）。
視聴番組の番組情報を入力し、視聴番組を分類する（ステップＳ３）。視聴番組である番組１は、ジャンルがスポーツ、サブジャンルはサッカーとして分類される。
また、順次、前記記憶した同一時間帯の非視聴番組を分類する（ステップＳ４）。例えば、番組２は、ジャンルがスポーツで、サブジャンルは野球、番組４は、ジャンルが映画でサブジャンルは洋画である。
次に、前記非視聴番組のジャンルが視聴番組のジャンルと同一かどうかチェックして（ステップＳ５）、異なる場合は、ステップＳ７へ進む。これにより、図５（Ｂ）に示すように、番組４、番組５、番組６は、ジャンルがそれぞれ映画、バラエティ、ドラマであり、番組１のスポーツとは異なるため、順位付与の対象からはずされる。
前記ジャンルが同一である場合は、「視聴番組＞非視聴番組」という番組分類順位を付与、一時記憶して（ステップＳ６）、ステップＳ７へ進む。例えば、番組１のサッカーを見ているときには、番組２の野球は見ていないので、「サッカーの方が野球よりも好き」といえる。そこで番組を番組分類に置き換え、番組分類として「サッカー＞野球」とする。
そして、全ての非視聴番組に対して、以上の操作を繰り返す（ステップＳ７）ことにより、視聴番組と非視聴番組の２番組間の嗜好順位を示す履歴データが得られる。
以上により図５（Ｂ）に示すように、番組間嗜好度から、同一ジャンル内での分類間順位が得られ、図６に示す履歴１となる。さらにこの操作を、異なる時間帯の視聴時にも繰り返すことにより、図６に示すように、複数の番組分類順位履歴データが収集される。
【００２２】
次に、図６に示すような複数の番組分類順位履歴データ（番組分類順位履歴表１６）を基に、番組分類の順位統合動作について、図７（B）のフローチャートを用いて説明する。
番組分類の順位統合の要求があると、図７（Ｂ）に示す番組分類順位統合のルーチンに入り、順次ジャンル別に番組分類順位履歴表１６を入力する（ステップＳ１１）。例えば、スポーツというジャンルの図６（Ａ）に示す番組分類順位履歴データを入力し、履歴２の分類３のように、重複するデータがあれば削除して一つだけ残す。履歴５の分類３ように、無意味なデータがあれば削除する。
次に、番組分類順位履歴表１６に存在するサブジャンルの全ての組み合わせからなる番組分類順位リストを作成する（ステップＳ１２）。例えば、対象となるサブジャンルが、分類１（サッカー）、分類２（野球）、分類３（ゴルフ）の３個とすると、組み合わせの数は、図６（Ｂ）番組分類順位に示す６通りとなる。
番組分類順位履歴表１６の履歴データにしたがって、前記作成した番組分類順位に一致する２つの分類間データの数を数え、記憶する（ステップＳ１３）。例えば、番組分類順位「分類１＞分類２＞分類３」に対して、履歴１データの分類１＞分類２、および分類１＞分類３は、いずれも番組分類順位「分類１＞分類２＞分類３」を満たすので、各＋１得点する。この手順を全ての履歴に対して繰り返し、番組分類順位「分類１＞分類２＞分類３」に対する総得点を算出する。
そして、全ての番組分類順位の計数が終了したら（ステップＳ１４）、一致した数の最も多い番組分類順位をそのジャンルに対する番組分類順位として採用する（ステップＳ１５）。本実施例では番組分類順位「分類１＞分類２＞分類３」の時の条件の一致数が８で一番多いので、スポーツというジャンルにおける履歴から算出された嗜好度の番組分類順位は「サッカー１＞野球＞ゴルフ」と決定される。
以上により、指定ジャンルの番組分類の嗜好順位が更新される。以上の手順を全てのジャンルに対して行う（ステップＳ１６）ことで、全てのジャンルに対してサブジャンルの番組分類嗜好順位表１９が作成される。
なおこの番組分類の順位統合動作は、例えばリモコンにより電源ＯＦＦ指示された後、実際に電源を切る前に処理すればよい。
【００２３】
次に、好みの番組の検索提示動作例について、フローチャートにより説明する。
視聴者から好みの番組を検索して提示するよう要求があると、図７（Ｃ）に示す番組検索提示のルーチンに入り、まず、入力選択部１２は、対象となる時間帯の全番組表を入力して記憶するとともに、対象番組をリストアップする（ステップＳ２１）。番組情報抽出部１３は、順番に前記リストアップされた番組の番組情報を抽出する（ステップＳ２２）。番組分類部１４は、履歴収集時の番組分類ステップＳ３同様、その番組を分類、記憶する（ステップＳ２３）。
そして、全ての対象番組の分類が終了したら（ステップＳ２４）、嗜好番組検索部２０は、大分類（ジャンル）ごとに、番組分類嗜好順位表１９の番組分類（サブジャンル）の順位に従って、番組リストの対象番組を並べなおし（ステップＳ２５）、各ジャンルの上位の番組から好みの番組として提示する（ステップＳ２６）。
【００２４】
以上のように、本発明によれば、上記した構成があるので、視聴している番組は、同時に放送中の他の番組より嗜好度が高いという放送特有の特性を利用して、視聴頻度によらないで、番組分類の順位付けができる。このため、ながら見が多くて放送頻度の高い番組分類の嗜好度が高くなるようなことがなく、より正確に視聴者の好みを判断することができる。
【００２５】
なお、本実施例では、本発明による番組検索装置または番組検索方法により検索された視聴者の好みの番組を、視聴番組として推薦提示するとしたが、録画予約として推薦提示、また常に視聴者の好みの番組を録画しておくハードディスクなどによる自動録画装置にも応用できる。
また、データ放送、インターネット、オフラインデータなど番組情報をもつ番組表を入手できる手段があれば、デジタル放送以外にも適用できる
【図面の簡単な説明】
【００２６】
【図１】本願発明の実施形態における番組検索装置を有するデジタル放送受信システムの構成を示す図である。
【図２】本願発明の実施形態における番組検索装置の構成を示す図である。
【図３】本願発明の番組検索装置に係わる放送番組の週単位の編成例を示し、（Ａ）は、定常時の番組表、（Ｂ）は、その日だけの特別な番組表である。
【図４】本願発明の番組検索装置で使われる番組分類例を示す図である。
【図５】本願発明の番組検索装置における視聴時の番組分類順位付与過程の説明図で、（Ａ）は、視聴時の番組表、（Ｂ）は、順位付与例を示す。
【図６】本願発明の番組検索装置における番組分類の順位統合過程の説明図で、（  Ａ）は、蓄積された番組分類順位履歴データ、（Ｂ）は、順位統合例を示す。
【図７】本願発明の番組検索装置の動作を示すフローチャートで、（Ａ）は、視聴  時の番組分類の順位付与、（Ｂ）は、番組分類の順位統合、（Ｃ）は、番組検索提示  時の動作を示す。
【符号の説明】
【００２７】
１１  操作入力部、１２  入力選択部、１３  番組情報抽出部、１４  番組分類部、１５  番組分類順位付与部、１６  番組分類順位履歴表、１７  番組分類順位統合部、１８  番組分類順位付与部、１９  番組分類嗜好順位表、２０  嗜好番組検索部、２１  システムコントロール部
【図１】
2006203618.tif 000003
【図２】
2006203618.tif 000004
【図３】
2006203618.tif 000005
【図４】
2006203618.tif 000006
【図５】
2006203618.tif 000007
【図６】
2006203618.tif 000008
【図７】
2006203618.tif 000009